(57)【要約】  無線通信システムの移動局ＭＳによって測定ＭＥＳを実施する方法において、移動局ＭＳは第１のチャネルＣＨ１を介してデータを受信する。移動局ＭＳは、少なくとも１つの第２のチャネルＣＨ２上で測定ＭＥＳを行うために、当該データの受信を一時的に中断するＵ。ここで受信の中断Ｕを、第１のチャネルを介したデータ伝送時に生じるエラーの修正可能性に依存して行う。
2007536848.tif 000002
【特許請求の範囲】
【請求項１】
無線通信システムの移動局（ＭＳ）によって測定（ＭＥＳ）を行う方法であって、
・当該移動局（ＭＳ）は、第１のチャネル（ＣＨ１）を介してデータを受信し、
・前記移動局は、当該データの受信を一時的に中断し（Ｕ）、少なくとも１つの第２のチャネル（ＣＨ２）上で測定（ＭＥＳ）を行い、
・前記受信の中断（Ｕ）を、前記第１のチャネル（ＣＨ１）を介したデータ伝送時に生じるエラーの修正可能性に依存して行う、
ことを特徴とする方法。
【請求項２】
第１のチャネル（ＣＨ１）を介して伝送されるデータの、無線通信システムの移動局（ＭＳ）の受信の中断（Ｕ）を引き起こす方法であって、
・前記移動局（ＭＳ）が、少なくとも１つの第２のチャネル（ＣＨ２）上で測定（ＭＥＳ）を行うために前記中断（Ｕ）を用い、
・前記受信の中断（Ｕ）を、前記第１のチャネル（ＣＨ１）を介したデータ伝送時に生じるエラーの修正可能性に依存して引き起こす、
ことを特徴とする方法。
【請求項３】
前記受信の中断（Ｕ）の間にさらに、データを前記第１のチャネル（ＣＨ１）を介して伝送する、請求項１または２記載の方法。
【請求項４】
前記中断（Ｕ）の間に、前記移動局（ＭＳ）によって受信されなかった、第１のチャネル（ＣＨ１）を介して伝送されたデータを、データ伝送の間に生じる伝送エラーのように扱う、請求項３記載の方法。
【請求項５】
エラーの前記修正可能性を、
・前記第１のチャネル（ＣＨ１）の符号化レートおよび／または
・前記第１のチャネル（ＣＨ１）に対して使用されているチャネル符号化方法および／または
・前記第１のチャネル（ＣＨ１）を介したデータ伝送に対する伝送プロトコルの比較的高い階層のエラー防御メカニズムに基づいて定める、請求項１から４までのいずれか１項記載の方法。
【請求項６】
前記移動局（ＭＳ）および／または無線通信システムの装置（ＲＮＣ）は、前記中断（Ｕ）の少なくとも１つのパラメータを、エラーの修正可能性に基づいて求める、請求項１から５までのいずれか１項記載の方法。
【請求項７】
前記少なくとも１つのパラメータは、
・時間単位毎の前記中断（Ｕ）の頻度および／または、
・前記中断（Ｕ）の実施の時点および／または
・時間単位毎の前記中断（Ｕ）の時間配分に該当する、請求項６記載の方法。
【請求項８】
前記無線通信システムの装置（ＲＮＣ）から情報（Ｉ）を移動局（Ｍ）へ伝送し、当該情報から少なくとも１つのパラメータが導出可能である、請求項６または７記載の方法。
【請求項９】
前記パラメータは、中断の特定のセット（Ｕ１）に関連し、当該セットのサブセット（Ｕ２）をあらわす、請求項６から８までのいずれか１項記載の方法。
【請求項１０】
中断のセット（Ｕ１）は、ＵＭＴＳ規格に従った、いわゆる測定機会である、請求項９記載の方法。
【請求項１１】
前記中断（Ｕ）の数および／または頻度および／または持続時間の意図された変更に依存して、前記第１のチャネル（ＣＨ１）を介した伝送時に生じるエラーの修正可能性を合わせる、請求項１から１０までのいずれか１項記載の方法。
【請求項１２】
前記第１のチャネル（ＣＨ１）を第１の周波数帯域内に配置し、前記第２のチャネル（ＣＨ２）を第２の周波数帯域内に配置する、請求項１から１１までのいずれか１項記載の方法。
【請求項１３】
前記第１のチャネル（ＣＨ１）および第２のチャンネル（ＣＨ２）を、同一の無線通信システムの、異なった無線セル（Ｃ１，Ｃ２）に割り当てる、または異なった無線通信システムの、異なった無線セル（Ｃ１，Ｃ２）に割り当てる、請求項１から１２までのいずれか１項記載の方法。
【請求項１４】
無線通信システム用の移動局（ＭＳ）であって、
当該移動局は、
・第１のチャネル（ＣＨ１）を介してデータを受信する手段と、
・データの受信を一時的に中断するための手段と、
・当該中断（Ｕ）の間に、少なくとも１つの第２のチャネル（ＣＨ２）上で測定（ＭＥＳ）を行うための手段を有しており、
・受信を中断するための手段は、前記第１のチャネル（ＣＨ１）を介したデータ伝送時に生じるエラーの修正可能性に依存して相応の中断（Ｕ）を行う、
ことを特徴とする移動局。
【請求項１５】
無線通信システム用のユニット（ＲＮＣ）であって、当該ユニットは、
・第１のチャネル（ＣＨ１）を介して受信されるデータの、無線通信システムの移動局（ＭＳ）の受信の中断（Ｕ）を引き起こす手段を有しており、当該中断（Ｕ）は、前記移動局（ＭＳ）が、少なくとも１つの第２のチャネル（ＣＨ２）上で測定（ＭＥＳ）を実施するために用いられ、
・前記中断（Ｕ）を引き起こすための手段は、前記第１のチャネル（ＣＨ１）を介したデータ伝送時に生じるエラーの修正可能性に依存して中断を引き起こす、
ことを特徴とする、無線通信システム用のユニット。
【発明の詳細な説明】
【技術分野】
【０００１】
本発明は無線通信システムの移動局によって測定を行う方法並びに相応する移動局および無線通信システムのためのユニットに関する。
【０００２】
無線通信システムでは、エアインタフェースを介して伝送される電磁波を介して、関与している局間の通信が行われる。無線通信システムに応じて、システムの個々の局または全ての局が定常または移動する。移動局を有する無線通信システムの種類は、移動無線システムである。種々異なる移動無線規格の移動無線システムが存在する。例えばＩＳ−９５およびＧＳＭ（Global System of Mobile Communication）等の第２世代の移動無線規格、並びに例えばＣＤＭＡ２０００およびＵＭＴＳ（Universal Mobile Telecommunication System）等の第３世代の移動無線規格が公知である。
【０００３】
ＵＭＴＳ規格のＦＤＤ（Frequency Division Duplex）形態では、複数の移動局はいわゆるＣｅｌｌ−ＦＡＣＨ（Fast Access Channel）状態において、共同で、同じ無線チャネルを使用する。種々異なる移動局へのデータ伝送は、符号多重化および時分割多重化で行われる。通常、移動局はコスト的な理由から、高周波受信部を１つしか有していない。この高周波受信部は、各周波数帯域における受信に合うように調整されていなければならない。Ｃｅｌｌ−ＦＡＣＨ状態において、目下受信されているチャネルの周波数帯域と異なる周波数帯域におけるチャネル上で、測定が可能であるために（これは例えば、同じ移動無線システムに属している、他の無線セルのチャネルを受信するため（いわゆる周波数間測定）または他の移動無線システムに属している、他の無線セルのチャネルを受信するため（いわゆるシステム間測定）に必要である）、移動局の受信器はある程度の時間を必要とする。この時間内で受信器は各他の周波数帯域に切り換えられる。この時間空間はＵＭＴＳ−ＦＤＤ規格において「測定機会（Measurement Occasions）」と称される。測定機会のコンセプトは、事前に定められた時間空間の間、チャネル上での基地局から移動局へのデータ伝送が中断されることである。測定機会は、移動無線ネットワークの移動局の識別番号等の移動局特有の特性を含めて設定され、測定機会が割り当てられているチャネル上のデータ伝送が相応に設計される。これによって、周波数間測定またはシステム間測定を行っている間に、移動局によって相応のチャネル上でデータが受信される必要がないことが保証される。これによって、他の場合には、測定機会中に伝送されてしまうデータの損失が回避される。
【０００４】
例えばＧＳＭおよびＵＭＴＳ等の移動無線システムにおいて、いわゆるＭＢＭＳ（Multimedia Broadcast Multicast Service）サービスの導入が行われている。いわゆるＭＢＭＳセッションの間、基地局はデータを、共同で使用されるチャネルを介して、セッションの全てのモバイル加入者に伝送する。ＵＭＴＳ−ＦＤＤ−規格では、移動局は、ＭＢＭＳセッションの間は同じようにＣｅｌｌ−ＦＡＣＨ状態にある。このような移動局は、それがＭＢＭＳセッションに参加しているか否かに依存せず、この時間空間の間に他のチャネル上での必要な測定を行うことを可能にするために測定機会を考慮する。しかしＣｅｌｌ−ＦＡＣＨ状態にある個々の移動局へ個別のデータを伝送することとは異なり、ＭＢＭＳセッションの間には、各チャネル上で伝送されるデータの損失は、非常に大きなコストを伴ってのみ回避される。この原因は、ＭＢＭＳセッションに参加している全ての移動局に対する異なる測定機会の同期が、過度に高いコストを意味することにある。すなわち、参加している、異なる移動局に対する測定機会は異なる時点で始まり、終了する。従ってＭＢＭＳセッションの間のデータ伝送は、個々の移動局でのデータ損失を回避するために頻繁に中断されなければならないだろう。しかしこれによって、伝送容量および、点対多重点伝送の利点が著しく被害を受けるだろう。このような理由から、ＭＢＭＳセッション中にデータ伝送が中断されず、それにもかかわらず、セッションに参加している複数の移動局に対して同時に測定機会が設定される解決方法が設けられるべきである。
【０００５】
本発明の課題は、無線通信システム用の移動局の動作を改善し、移動局が第１のチャネルを介してデータを受信し、少なくとも１つの第２のチャネル上で測定を行うために、移動局がデータの受信を一時的に中断することである。
【０００６】
上述の課題は、添付された特許請求の範囲に記載された方法、移動局並びに無線通信システム用のユニットによって解決される。本発明の有利な実施形態および本発明の発展形態は、従属請求項に記載されている。
【０００７】
無線通信システムの移動局によって測定を行う本発明の方法では、移動局は第１のチャネルを介してデータを受信する。この移動局はデータのこの受信を一時的に中断し、少なくとも１つの第２のチャネル上で測定を行う。ここで受信の中断は、第１のチャネルを介したデータ伝送時に生じるエラーの修正可能性に依存する。
【０００８】
前述の課題は、第１のチャネルを介して伝送されるデータによって、無線通信システムの移動局の受信中断を引き起こす方法によっても解決される。ここでこの中断は次のために用いられる。すなわち移動局が少なくとも１つの第２のチャネル上で測定を行うために用いられる。この方法では、受信の中断は、第１のチャネルを介したデータ伝送時に生じるエラーの修正可能性に依存して引き起こされる。データ伝送はここでは、中断の間にも殊に継続して行われる。
【０００９】
本発明は、移動局を有する任意の無線通信システムで使用可能であるが、殊に移動無線システム内での使用に適している。ここで、本発明は、任意の規格の移動無線システム上で使用される。受信の中断は、エラー修正可能性に依存して行われるべきであり、例えば次の場合にのみ中断が行われるように実現される。すなわち、例えばデータ伝送のエラー許容公差の特定の限界値に達することによって、修正可能性に対する特定の要求が満たされた場合にのみ中断が行われるように実現される。エラー修正可能性への依存とは例えば、受信中断の時間的な長さ、持続時間または頻度がエラー修正可能性に依存して定められることでもある。有利には、例えば１回ないし複数回の中断の持続時間または中断の頻度が、データ伝送のエラー修正可能性が上昇するとともに増大する。
【００１０】
本発明は殊に、移動局による受信中断の間に、さらにデータが第１のチャネルを介して伝送される無線通信システム内での使用に適している。すなわち受信中断は、データ伝送のエラー修正可能性に依存して行われるので、移動局による中断の間に受信されずに、第１のチャネルを介して伝送されたデータを、データ伝送中に生じた伝送エラーのように取り扱うことができる。すなわち、欠如しているデータ（または少なくともこのデータの一部）が、伝送エラーのように、使用されているデータ伝送方法のエラー修正可能性の枠内で、受信側で修正ないし再構築される。従ってこのデータの受信が行われていないことは影響を与えない。第１のチャネルを介したデータ伝送のエラー修正可能性が良好になればなるほど、受信中断の間に移動局によって受信されなかったデータが、使用されている伝送プロトコルの相応するエラー防御メカニズムによって再構築されることがより確実になる。従ってデータ伝送のより良好なエラー修正可能性によって、エラー修正可能性が不良な場合よりも長いまたはより頻繁な受信中断を行うことが可能になる。中断の実施は、第２のチャネル上で測定を実施するために用いられるので、データ伝送のより良好なエラー修正可能性によって、より多くの測定も実施される。
【００１１】
本発明の１つの実施形態では、第１のチャネルを介して伝送されるデータは、ブロードキャストサービスのデータであり、これは無線通信システムの複数の移動局によって同時に受信可能である。殊にこれはＭＢＭＳサービスのことである。
【００１２】
本発明によって、複数の移動局によって受信されるブロードキャストサービス時に、移動局に対する測定のための中断の実施を非同期化させることが可能になる。すなわち、任意の時点で、相互に依存しないで実施させることができる。この理由は、各移動局が、自身によって中断の間に受信されなかったデータを個々に（少なくとも部分的に）再構築することができるからである。
【００１３】
チャネル上の測定は例えば、第１のチャネルから第２のチャネルへのチャネル変換を準備するため（いわゆるセル再選択）に用いられる。
【００１４】
本発明の１つの実施形態では、第１のチャネルは第１の周波数帯域内に配置されており、第２のチャネルは第２の周波数帯域内に配置されている。第２のチャネル上での測定が、第１のチャネル上での受信中断の間に行われるので、２つの目的のために、移動局の同じ高周波数受信部を使用することができる。これは単に、相応する周波数帯域にそれぞれ調整されるべきである。
【００１５】
本発明の別の実施形態では、第１のチャネルおよび第２のチャネルはそれぞれ、同じ無線通信システムまたは異なる無線通信システムの異なる無線セルに割当てられる。
【００１６】
本発明の発展形態では、第１のチャネルを介したデータ伝送に対するエラーのエラー修正可能性は次のことに基づいて定められる。すなわち、
・第１のチャネルの符号化レートおよび／または
・第１のチャネルに対して使用されているチャネル符号化方法および／または
・第１のチャネルを介したデータ伝送に対する伝送プロトコルの比較的高い階層のエラー防御メカニズムに基づいて定められる。
【００１７】
チャネルの符号化レートは、全体的なデータ量に対する伝送された有効データの割合を示す。ここでこの全体的なデータ量は、伝送されたデータのエラー修正のために用いられるデータを含めた、その他のデータを入れた有効データから生じる。
【００１８】
異なるチャネル符号化方法は例えば、ターボ符号化および畳み込み符号化である。符号化レートが同じ場合には、これらの２つの符号化方法は、それを用いて伝送されるデータのエラー修正可能性に関して異なる特性を有する。
【００１９】
使用されている伝送プロトコルの比較的高い階層のエラー防御メカニズムとしては殊に、いわゆるインターリービング（伝送されるべきデータを、伝送時間空間の長さ、いわゆるTransmission Time Interval, ＴＴＩに相応するインターリービング深さ（Interleavingtiefe）と複合させる）、またはいわゆるアウターコーディング（伝送されるべきデータを、順次連続する複数のＴＴＩの長さに相応するインターリービング深さと複合させる）が考えられる。
【００２０】
本発明の発展形態では、移動局および／または無線通信システムの装置は少なくとも１つの、中断のパラメータを、第１のチャネルを介したデータ伝送に対するエラー修正可能性に基づいて求める。中断のパラメータは例えば、
・時間単位毎の中断の頻度および／または、
・中断実施の時点および／または
・時間単位毎の中断の時間配分に該当する。
【００２１】
本発明の発展形態では、無線通信システムの装置から、情報が移動局へ伝送される。この情報から少なくとも１つのパラメータが導出可能である。すなわち、パラメータは完全にまたは部分的にネットワーク側で定められる。
【００２２】
本発明の発展形態ではこのパラメータは中断の特定のセット（Menge）に関連し、このセットのサブセット（Untermenge）をあらわす。この場合に本発明の１つの実施形態では、中断の量は、いわゆる測定機会によって、ＵＭＴＳ規格に従って形成される。ここでこの測定機会の算出は有利には、いままでＵＭＴＳ規格に従って設けられたのと同じ方法で行われる。この場合には次のことが可能である。すなわち、パラメータが例えばパーセント値だけを示し、移動局がこのようなパーセント率に基づいて、従来の方法で算出された測定機会の相応する部分だけを、第１のチャネル上での受信中断の形で使用することが可能である。
【００２３】
本発明の発展形態では、中断の数および／または頻度および／または持続時間の意図された変更に依存して、第１のチャネルを介した伝送時に生じるエラーの修正可能性が合わせられる。すなわち、例えば、第２のチャネル上での測定に用いられる時間空間の延長が望まれている場合には意図的にエラー修正可能性が改善され、測定のために行われるべき、第１のチャネル上での受信中断の間に、この中断の間に第１のチャネル介して受信されなかったデータの少なくとも一部が再構築される。この目的のためのエラー修正可能性の上昇は、ここでは例えば、一時的にのみ行われてもよく、後に、測定実施に対する要求が低減すると再び下降する。エラー修正可能性の上昇は例えば、より良好なチャネル符号化方法の選択によって、またはより低い符号化レートまたは、第１のチャネルを介したデータ伝送用の伝送コントロールの比較的高いプロトコル層の改善されたエラー防御メカニズムによって得られる。
【００２４】
無線通信システム用の本発明の移動局は、
・第１のチャネルを介してデータを受信する手段と、
・データの受信を一時的に中断するための手段と、
・この中断の間に、少なくとも１つの第２のチャネル上で測定を行うための手段
を有する。
ここで受信を中断するための手段は、第１のチャネルを介したデータ伝送時に生じるエラーの修正可能性に依存して相応の中断を実施する。
【００２５】
無線通信システム用のユニットは、第１のチャネルを介して受信されたデータによって、無線通信システムの移動局の受信中断を引き起こす手段を有している。ここでこの中断は次のことのために用いられる。すなわち、移動局が、少なくとも１つの第２のチャネル上で測定を実施するために用いられる。中断を引き起こすための手段は、第１のチャネルを介したデータ伝送時に生じるエラーの修正可能性に依存して中断を引き起こす。
【００２６】
本発明の移動局および無線通信システムのための本発明のユニットは、実施形態および発展形態において相応する手段を有しており、これによって、本発明の方法に従って設けられたステップの実施形態および発展形態が実現される。
【００２７】
本発明を以下で、図示された実施例に基づいてより詳細に説明する：
図１は、移動局がデータを２つのチャネルを介して受信する無線通信システムの一部であり、
図２は、図１に示された２つのチャネルを介して伝送されるデータに関する詳細であり、
図３は、図１に示されたチャネルの１つを介して伝送されるデータに対する別の実施例である。
【００２８】
本発明は、移動局を有する任意の無線通信システムで使用可能であり、ひいては任意の移動無線システムに対しても使用可能であるが、本発明を以下でＵＭＴＳ−ＦＤＤ−移動無線システムに基づいてより詳細に説明する。
【００２９】
図１は、セルラー移動無線システムの一部を示している。２つの無線セルＣ１，Ｃ２のみが図示されている。各無線セルＣ１、Ｃ２はそれぞれ１つの基地局ＢＳ１，ＢＳ２によって供給される。２つの無線セルＣ１，Ｃ２の間の移行領域に、移動局ＭＳが存在している。この移動局ＭＳは第１のチャネルＣＨ１を介して第１の基地局ＢＳ１からデータを受信し、第２のチャンネルＣＨ２を介して第２の基地局ＢＳ２からデータを受信する。第１のチャネルＣＨ１のデータは放送領域（ブロードキャスト）において第１の基地局ＢＳ１から送出され、殊に別の移動局ＭＳ' によって受信可能である。基地局ＢＳ１，ＢＳ２は、共通の基地局コントローラＲＮＣと接続されている。ここで本発明の別の実施例では、２つの基地局に異なる基地局コントローラを割り当てることも可能である。
【００３０】
図１に示された第１のチャネルＣＨ１を介して伝送されたデータはＭＢＭＳサービスに割り当てられる。第２の基地局ＢＳ２の第２のチャネルＣＨ２は組織チャネルであり、具体的には第２の基地局ＢＳ２のＢＣＣＨ（ブロードキャスト制御チャネル：Broadcast Control Channel）である。移動局ＭＳははじめに、第１のチャネルＣＨ１のＭＢＭＳデータを受信する。この移動局は第１の無線セルＣ１内に存在するが、第２の無線セルＣ２への移行領域内に存在するので、受信品質を求めるために、移動局ＭＳが第２のチャネルＣＨ２上で測定を行うことが望まれる。本発明の別の実施例では、上述の測定は次のことにも用いられる。すなわち、第２のチャネルＣＨ２の他に、別の基地局（図１には図示されていない）の別の組織チャネルを測定するためにも用いられる。このような測定の結果は当業者に公知の方法で、移動局ＭＳに対するチャネル変換ないしセル変換（いわゆるハンドオーバまたはセル再選択）の準備のために用いられる。２つのチャネルＣＨ１，ＣＨ２は異なる周波数帯域において作動する。なぜなら、２つの基地局ＢＳ１，ＢＳ２には、双方向障害を回避するために、異なる周波数帯域が割り当てられているからである。しかし移動局ＭＳはこの実施例では、信号を２つのチャネルＣＨ１，ＣＨ２を介して受信するために同一の受信部を使用する。これは当然ながらシーケンシャルにしか行われない。この場合に受信部は、それぞれ適切な周波数帯域に合わせて設定される。
【００３１】
この実施例では、基地局コントローラＲＮＣは情報Ｉを求める。この情報から、移動局ＭＳによって実施されるべき中断のパラメータが導出可能である。基地局コントローラＲＮＣは、情報Ｉを第１の基地局ＢＳ１を用いて、移動局ＭＳに伝達する。このために、第１の基地局ＢＳ１と移動局ＭＳの間での特別な、ＭＢＭＳサービスに割り当てられた制御チャネルが使用される。基地局コントローラＲＮＣは情報Ｉを、第１のチャネルＣＨ１を介したデータ伝送時に生じ得るエラーの修正可能性に依存して求める。具体的には移動局ＭＳに次のことが指示される。すなわち、以下で図２に基づいてより詳細に示されるように、まずは僅かな中断を測定目的のために実施し、後にこの中断の周波数を高めることが指示される。例えば第１のチャネルに対する符号化レートが付加的なエラー修正データの導入によって低減されることによって、準備のために第１のチャネルＣＨ１を介したデータ伝送に対するエラー修正可能性が高められた後に、中断の頻度が高められる。
【００３２】
図２は、下方部分における観察された実施例に対して、第１の基地局BS１による第１のチャネルＣＨ１を介したＭＢＭＳデータの送出を示している。これは観察された時間空間内で継続的に行われる。図２の第１の行には、移動局ＭＳによる、第１のチャネルＣＨ１を介して伝送されるデータの受信が示されている。この受信は、周期的な中断Ｕを有している。この中断は、移動局ＭＳが、移動局コントローラＲＮＣによって伝達された情報Ｉおよびこの情報から導出された中断Ｕに対するパラメータに依存して行う。第１のチャネルＣＨ１上での受信の中断Ｕの間には、移動局ＭＳは、第２の基地局ＢＳ２の第２のチャネルＣＨ２上での受信に切り替わり、ここで測定ＭＥＳを行う。この測定の結果は、当業者に公知の方法で第１の基地局ＢＳ１に伝達される。この測定ＭＥＳの結果は、無線通信システムにおいて、次の判断に用いられる。すなわち、第２の基地局ＢＳ２のチャネルへのハンドオーバが行われるべきか否かの判断に用いられる。
【００３３】
図２から次のことが分かる。すなわち中断Ｕの間の時間間隔が、情報Ｉに依存してまずは、図２に示されている最後の３つ中断の間の間隔より長いことがわかる。これは第１のチャネルＣＨを介したデータ伝送のエラー修正可能性が、第２に示された第１の中断Ｕの後に、符号化レートの低減によって、上述されたように高められたことによる。
【００３４】
図２に示された最後の行から次のようなデータＤを読み取ることができる。すなわち、移動局ＭＳが自身の受信を中断している間に、第１のチャネルＣＨを介して送出されているデータである。従ってこのデータは移動局によって受信されない。このようなデータを完全に省く必要がないように、移動局ＭＳはこのデータＤのできるだけ大きな部分を、自身が使用可能なエラー修正方法を用いて再構築することを試みる。これは殊に次のような場合に成果を約束して実施される。すなわち、第１のチャネルを介して伝送されたデータＣＨ１が、特別に強いインターリービング（複合）の影響を受ける場合である。すなわちインターリービングは、設定されたエラー修正ビットの数に依存して、大きなデータブロックの再構築も行う。なぜなら、このデータブロック内の個々の伝送される有効データは、インターリービング前に、または、デインターリービングの後に相互に隣接していないからである。
【００３５】
図２に示された、移動局ＭＳの側での、第１のチャネルＣＨ１を介したデータの受信の中断Ｕは、情報Ｉを介して例えば以下のように伝達される：基地局コントローラが移動局ＭＳに、情報Ｉを介して、時間枠毎に実施されるべき中断Ｕの数をシグナリングし、場合によっては、中断の各持続時間および／または時間的な位置もシグナリングする。しかし次のことも可能である。すなわち、移動局ＭＳが中断Ｕの設定に対して必要なパラメータの一部またはこの全てを自動的に、所定のアルゴリズムに基づいて求めることも可能である。しかし常に、各保証されたエラー修正可能性に依存して求める。
【００３６】
移動局ＭＳが中断Ｕ、Ｕ２の特定に対して必要なパラメータの全てを自身で求める限り、基地局コントローラＲＮＣから移動局ＭＳへの相応する情報Ｉの伝送は当然ながら必要ない。
【００３７】
図３は、本発明の別の実施例に対して、移動局ＭＳによる、第１のチャネルＣＨを介して伝送されるデータの受信を示している。図３に示されたデータ伝送の部分では、第１のチャネルＣＨ１を介したデータ伝送のエラー修正可能性の変更は行われない。従って中断の数は変更されない。図示されているのは中断Ｕの第１のセットである。これはＵＭＴＳ規格に従ったいわゆる測定機会であり、移動局ＭＳによって、ＵＭＴＳ規格に従って設定された方法で求められる。これは３つのパラメータを考慮して行われる：
１．測定機会Ｕ１のセットがＵＭＴＳ規格に従って、最長で、ＳＣＣＰＣＨ（Secondary Control Physical Channel）上のいわゆるトランスミッションタイムインターバル（ＴＴＩ）によって定められる。
【００３８】
２．測定機会U１の頻度が、パラメータｋによって定められる。このパラメータは、移動局ＭＳに基地局コントローラＲＮＣから伝達される。
【００３９】
３．測定機会Ｕ１の時間的な位置が、さらに、移動局ＭＳによって、自身の個別の識別に基づいて定められる。
【００４０】
ＵＭＴＳ規格に従って既に設定されているパラメータｋは、例えば、図１に示されている情報Ｉとともに、移動局ＭＳへ伝送される。図３に示された実施例では、情報Ｉはパーセント率だけを含む（すなわちこの場合には５０％）。これは、測定機会のどのくらいの部分がＭＢＭＳサービスの第１のチャネルＣＨ１上の中断Ｕ２に対して使用されるべきかを示す。これは通常はＣｅｌｌ−ＦＡＣＨ状態（自身の割り当てられた測定機会の間は、各移動局への伝送は行われない）における測定に対してのみ設定される。５０％のこのパーセント率は、パラメータとして、情報Ｉを介して移動局ＭＳへ伝送される。この結果として、移動局ＭＳは図３では、上述のように求められた測定機会Ｕ１の５０％しか使用しない。すなわちそれぞれ２番目の測定機会Ｕ１しか、本発明の中断Ｕ２の実施のために使用しない。この中断Ｕ２の間だけ、移動局は、図２に基づいて既に示した測定ＭＥＳを第２のチャネルＣＨ２上で実施する。
【００４１】
本発明の別の実施例では、この代わりに、各測定機会Ｕ１が、中断Ｕ２を行うために使用される。しかし、その長さの５０％だけである。これは次のような利点を有する。すなわち、より短い持続時間（しかしその代わりにより頻繁に）で実施される中断の間に、それぞれ受信されないデータがより少なくなるという利点を有する。従って、同じエラー修正可能性を設けている場合には、これはより大きい規模で修正可能である。
【００４２】
エラー修正可能性に依存した、本発明に相応する中断Ｕ、Ｕ２の実施によって、第１のチャネルＣＨ１を介した、例えばＭＢＭＳデータの形状での、継続的なデータ伝送の受信時の中断実施にもかかわらず次のことが実現される。すなわち、伝送品質ないしサービス品質が、中断にもかかわらず特定の最小値に達することが実現される。伝送品質ないしいわゆるサービス品質は、例えばブロックエラーレートＢＬＥＲを求めることによって求められる。
【００４３】
図３に示された実施例では、Ｃｅｌｌ−ＦＡＣＨ状態における移動局に対する測定機会に対して設けられているよりも少ない中断Ｕ２が行われる。これによって一方での要求と、他方での必要性の間で妥協が得られる。この要求とは、例えば無線セルの間での変換の準備のために測定を完全に実行する要求である。必要性とは、継続的なサービス（例えばＭＢＭＳサービス）の受信の間に中断Ｕ，Ｕ２を僅かに保ち、この中断の間に生じるデータ損失Ｄがネガティブに作用しないようにする必要性である。これはこのデータ損失Ｄの少なくとも一部が既存のエラー修正メカニズムによって、第１のチャネルＣＨ１を介した選択されたデータ伝送に対して補償されることによって行われる。
【００４４】
基地局コントローラＲＮＳと移動局ＭＳの間で交換される、図１に示された情報Ｉは、使用されている伝送プロトコルの比較的高い階層を介して伝送される。
【００４５】
中断Ｕ，Ｕ２のパラメータは次のように定められる。すなわち、データ伝送の使用可能なエラー修正可能性に依存して、所望のサービス品質をできるだけ下回らないように定められる。すなわち、第１のチャネルＣＨ１の受信時に、第２のチャネルＣＨ２上での測定ＭＥＳの実施ないし中断Ｕ，Ｕ２によって生じたデータ損失Ｄが、予期されるべき伝送条件の下で、使用されるエラー修正メカニズムによって補償されるようにコントロールされるように定められる。しかし特に強いエラー影響が、ＭＢＭＳデータの使用時に予期されない。なぜならこれは高い率のデータサービスであり、通常は、移動局ＭＳの加入者が比較的僅かにしか動かない、ないしは全く動かない時に利用されるからである。従って例えばフェージングによる、伝送の経過の間の伝送品質の著しい変化は比較的まれにしか生じない。
【図面の簡単な説明】
【００４６】
【図１】移動局がデータを２つのチャネルを介して受信する無線通信システムの一部をあらわす図
【図２】図１に示された２つのチャネルを介して伝送されるデータに関する詳細をあらわす図
【図３】図１に示されたチャネルの１つを介して伝送されるデータに対する別の実施例をあらわす図
【図１】
2007536848.tif 000003
【図２】
2007536848.tif 000004
【図３】
2007536848.tif 000005
【国際調査報告】
2007536848.tif 000006
2007536848.tif 000007
2007536848.tif 000008
2007536848.tif 000009
2007536848.tif 000010
2007536848.tif 000011